(57)【特許請求の範囲】
【請求項１】
呼称ＪＩＳ１０７０のアルミニウムインゴット材をインパクト成形することによって有底筒状体（２１）を形成し、この有底筒状体（２１）を、胴部（２）と、この胴部（２）の上部に形成された肩部（３）と、この肩部（３）の上部に形成された細径の首部（４）とを有するものとし、この首部（４）にネジ部（５）を形成した後、首部（４）の開口端部（４ａ）を外方に湾曲させカール部（６）を形成する液状物充填用容器の製造方法であって、
前記カール部（６）の形成がカール部形成用治具（２３）を用いて行われ、
このカール部形成用治具（２３）は、回転可能な環状基材（２４）と、この環状基材（２４）の内周面に複数個配設され、環状基材（２４）の回転軸に対して直交する回転軸を有して回転するカール部形成ローラ（２５）と、前記環状基材（２４）の回転軸上に配された円柱状の中心部材（２６）を有し、
前記カール部形成ローラ（２３）は、その基端部が前記環状基材（２４）に回転可能に軸支され、その先端部が前記中心部材（２６）に回転可能に軸支されているとともに、断面円形の基部（２７）と、この基部（２７）の先端側に延びる細径とされた首部２８を有し、この首部（２８）の外周には周方向に沿う断面円弧状の環状凹部（２８ａ）が形成され、
前記中心部材（２６）は、その外周径が前記有底筒状体（２１）の首部（４）の内周径よりも小さくされたものであり、
前記有底筒状体（２１）の首部（４）の開口端部（４ａ）を前記カール部形成用治具（２３）のカール部形成ローラ（２５）に、その首部（４）が前記中心部材（２６）から離間した状態で、押し当て、前記有底筒状体（２１）の首部（４）を前記環状凹部（２８ａ）の内周面に沿って外方に湾曲させてカール部（６）を形成し、この際、前記環状基体（２４）を前記有底筒状体（２１）の首部（４）に対し周方向に回転させるとともに、前記カール部形成ローラ（２５）を回転させながら前記有底筒状体（２１）の首部（４）に押し当てることを特徴とする液状物充填用容器の製造方法。
【発明の詳細な説明】
【０００１】
【発明の属する技術分野】
本発明はヘアリキッド、トニック、育毛剤、乳液、化粧水等の液状物を充填する容器を製造する方法に関する。詳しくは、耐蝕性が良好であり、かつリサイクルし易い液状物充填用容器の製造方法に関する。
【０００２】
【従来の技術】
化粧品等の液状物を充填するための容器としては、例えば図６ないし図８に示されるものが知られている。
図６に例示される容器３１は、合成樹脂製の容器であり、有底円筒状の胴部３２と、その上部に形成された肩部３３と円筒状の首部３５とを有し、該首部３５の外周にはネジ部３７が設けられている。
このような容器は、主にヘアリキッド、トニック、育毛剤などが充填され、首部３５に吐出量調整用の中栓３９が嵌入され、さらに容器口部が、上記ネジ部３７に螺合する保護キャップあるいはポンプアッセンブリーで閉止されて使用される。
上記容器と同じ形状で、ガラス製のものもあり、主に乳液、化粧水などの容器として用いられる。
【０００３】
【発明が解決しようとする課題】
化粧品等に用いられる液状物充填用容器では、外面のデザイン、材質等によって高級感およびメタリック感を持たせることが望ましいが、上記合成樹脂製容器では、外表面に印刷などを施しても高級感、メタリック感を持たせることが難しい。
また、ガラス製容器では、表面をスリガラス状とすることで高級感を持たせることができるが、メタリック感を持たせるのは難しい。また落下等の衝撃により破損しやすいという問題もある。
このため、高級感、メタリック感を持たせやすく、かつ破損しにくい容器として、金属製のものが用いられている。
【０００４】
図７および図８は、金属製容器の例を示すものである。
図７に示す容器４１はアルミニウムなどの金属で形成され、有底円筒状の胴部４２と、その上部に形成された肩部４３と円筒状の首部４５とを有し、首部４５の外周にはネジ部４７が設けられている。容器４１の首部４５の内周面側にはネジ部４７に相当する位置に凹部４８が形成されている。通常、容器４１内面には、腐蝕防止用の保護塗膜が形成される。
【０００５】
図８に示す容器は、特開平９−１１８３４５号公報に記載されたもので、ここに示す容器５１は、胴部５２と肩部５３と首部５５とを有する金属製の缶部５１ａと、首部５５の外周に取り付けられた合成樹脂製のねじリング５８とから構成され、ねじリング５８がフランジ５４とねじリング胴部５８ａとを有し、ねじリング胴部５８ａの外周にはネジ部５７が形成され、首部５５の開口端部は外方に湾曲してフランジ５４を巻き込んでカール部５６となっている。
この容器５１は、上記合成樹脂製容器、ガラス製容器と同様に、化粧品等の液状物を充填し、ねじリング５８に保護キャップ等を螺着することにより閉止して用いることができる。また首部５５にフェルト等で形成された筆記部材が取り付けられることによりマジックペンなどの筆記具としても使用可能である。
【０００６】
しかしながら、図７に示す金属製容器４１では、腐蝕防止用の保護塗膜を首部４５の端縁部４５ａにも形成するのは難しいため、この部分が金属材料が露出した状態となりやすい。このため、この部分が内容液に触れることにより腐蝕が発生したり、内容液が変質することがあった。
また図８に示す容器５１では、首部５５の開口端部を外方に湾曲させて形成されたカール部５６を有するため、端縁部への内容液接触が起こりにくいものの、内容液使用後に、この容器５１を再利用する際に、金属製の缶部５１ａと合成樹脂製のねじリング５８とを分別する必要があり、リサイクルの容易性の点で不満があった。
本発明は上記事情に鑑みてなされたもので、耐蝕性に優れ、かつリサイクルが容易な液状物充填用容器を提供することを目的とする。
【０００７】
【課題を解決するための手段】
かかる課題を解決するため、
本願請求項１にかかる発明は、呼称ＪＩＳ１０７０のアルミニウムインゴット材をインパクト成形することによって有底筒状体（２１）を形成し、この有底筒状体（２１）を、胴部（２）と、この胴部（２）の上部に形成された肩部（３）と、この肩部（３）の上部に形成された細径の首部（４）とを有するものとし、この首部（４）にネジ部（５）を形成した後、首部（４）の開口端部（４ａ）を外方に湾曲させカール部（６）を形成する液状物充填用容器の製造方法であって、
前記カール部（６）の形成がカール部形成用治具（２３）を用いて行われ、
このカール部形成用治具（２３）は、回転可能な環状基材（２４）と、この環状基材（２４）の内周面に複数個配設され、環状基材（２４）の回転軸に対して直交する回転軸を有して回転するカール部形成ローラ（２５）と、前記環状基材（２４）の回転軸上に配された円柱状の中心部材（２６）を有し、
前記カール部形成ローラ（２３）は、その基端部が前記環状基材（２４）に回転可能に軸支され、その先端部が前記中心部材（２６）に回転可能に軸支されているとともに、断面円形の基部（２７）と、この基部（２７）の先端側に延びる細径とされた首部２８を有し、この首部（２８）の外周には周方向に沿う断面円弧状の環状凹部（２８ａ）が形成され、
前記中心部材（２６）は、その外周径が前記有底筒状体（２１）の首部（４）の内周径よりも小さくされたものであり、
前記有底筒状体（２１）の首部（４）の開口端部（４ａ）を前記カール部形成用治具（２３）のカール部形成ローラ（２５）に、その首部（４）が前記中心部材（２６）から離間した状態で、押し当て、前記有底筒状体（２１）の首部（４）を前記環状凹部（２８ａ）の内周面に沿って外方に湾曲させてカール部（６）を形成し、この際、前記環状基体（２４）を前記有底筒状体（２１）の首部（４）に対し周方向に回転させるとともに、前記カール部形成ローラ（２５）を回転させながら前記有底筒状体（２１）の首部（４）に押し当てることを特徴とする液状物充填用容器の製造方法である。
【０００８】
【発明の実施の形態】
以下、本発明を図面を参照して詳しく説明する。図１および図２は、本発明によって得られた液状物充填用容器の一実施形態を示すものであり、ここに示す液状物充填用容器１は、呼称ＪＩＳ１０７０（軟材）のアルミニウムからなり、底部９を有する円筒状の胴部２と、該胴部２の上部に形成された肩部３と、該肩部３の上部に形成された細径の首部４とを有する。胴部２の外径は、３０〜５５ｍｍとすることができる。
【０００９】
首部４は円筒状に形成され、外周にネジ部５が形成されている。
ネジ部５の外径（山部の外径）は、２２．５〜２３．５ｍｍ程度とするのが好ましい。
首部４の開口端部４ａには、外方に湾曲したカール部６が形成されている。カール部６は、その端縁部６ａが下方または内方に向くまで湾曲した状態となっている。
カール部６は、外径が、ネジ部５の外径（好ましくはネジ部５の最小外径、すなわちネジ部５の谷部の外径）より小さくなるように形成するのが好ましい。カール部６の外径は、２１．０〜２２．０ｍｍ程度とするのが好ましい。
また既存のポンプアッセンブリやキャップなどに対する汎用性をもたせるため、ネジ部５やビード部の外径は、上記ポンプアッセンブリ等に合わせて設定するのが好ましい。
【００１０】
容器１の内面（胴部２、肩部３、首部４、および底部９の内面）およびカール部６の外面には、全域にわたって保護塗膜１０が形成されている。
この保護塗膜１０には、エポキシ−フェノール樹脂、ポリアミドイミド樹脂、エポキシ−ユリア樹脂、ビニールオルガノゾル樹脂、ポリエチレン樹脂、フッ素樹脂等の一般的なエアゾール缶に使用される塗料を用いることができる。
なかでも特に、耐蝕性および加工性に優れたポリアミドイミド樹脂を用いるのが好ましい。
【００１１】
なお、符号７は、首部４に装着された合成樹脂製のポンプアッセンブリを示す。ポンプアッセンブリ７の内周には、首部４のネジ部５に螺合するネジ部が形成され、ポンプアッセンブリ７をネジ部５に螺着することで容器１の口部を液密に閉止することができるようになっている。
【００１２】
次に、上記容器１を製造する場合を例として、本発明の液状物充填用容器の製造方法の一実施形態を図３を参照して説明する。
図３（Ａ）に示すように、アルミニウムインゴット材（ＪＩＳ１０７０）を、金型を用いてインパクト成形することによって、有底筒状体２１を作製する。
次いで、図３（Ｂ）に示すように、必要に応じて有底筒状体２１の開口端近傍を切断して筒状体２１の高さを調整し、この有底筒状体２１の内面を洗浄、乾燥した後、この内面にポリアミドイミド樹脂等を塗装、焼き付けし、保護塗膜１０を形成する。
【００１３】
次いで、有底筒状体２１の外周面にパッケージデザインなどの印刷を施した後、図３（Ｃ）に示すように、数段階のプレス加工により有底筒状体２１上部を縮径し、肩部３および首部４を形成する。
この際、首部４の開口端を整えるために、首部４の上端近傍を切断しても良い。また後述のカール部６の成形を容易にするために、首部４の開口端部４ａを薄肉化してもよい。
【００１４】
次いで、図３（Ｄ）に示すように、首部４の内周側および外周側に配置されたネジ押圧部材（図示略）により首部４を軸方向に対しほぼ垂直な方向に押圧し曲げ変形させることによって、首部４にネジ部５を形成する。
【００１５】
次いで、図３（Ｄ）および図３（Ｅ）に示すように、開口端部４ａを外方に湾曲させ、カール部６を形成する。
カール部６を形成するには、図４に示すカール部形成用治具２３を用いることができる。
カール部形成用治具２３は、環状基体２４と、この環状基体２４の内周側に設けられたカール部形成ローラ２５と、環状基体２４の中心部に設けられた中心部材２６とを有する。
カール部形成ローラ２５は、断面円形の基部２７と、基部２７の先端側（環状基体２４の内周側）に設けられた細径の首部２８とを備えている。この首部２８の外周には、周方向に沿って断面円弧状の環状凹部２８ａが形成されている。
ローラ２５は、基部２７基端部側および首部２８先端側がそれぞれ環状基体２４および中心部材２６に回転可能に支持され、中心軸２５ａを以て周方向に回転自在とされている。ローラ２５は、軸方向が環状基体２４の径方向にほぼ一致するように設けられている。
ローラ２５は、環状基体２４の周方向に間隔をおいて複数（図示例では６つ）設けられている。
【００１６】
このカール部形成用治具２３を用いてカール部６を形成するには、次のようにする。
有底筒状体２１を固定し、この有底筒状体２１の首部４の開口端部４ａに、カール部形成ローラ２５を押し当てた状態で、環状基体２４を首部４に対し周方向に回転させる。
これによって、カール部形成ローラ２５は回転しながら首部４の周方向に移動し、この過程で、開口端部４ａは、全周にわたって環状凹部２８ａ内周面に沿って徐々に押し広げられて外方に湾曲し、カール部６が形成される。
この際、ローラ２５は自身の周方向に回転（自転）しつつ首部４に当接する。このため、ローラ２５と首部４との間の摩擦が低減され、カール部形成用治具２３をスムーズに首部周方向に回転させることができる。
このように、カール部形成用治具２３を周方向に回転させつつ開口端部４ａを湾曲させるため、首部４に加えられる縦方向（首部４の軸方向）の力が周方向に均一化され、局部的に首部４に大きな力が加えられるのを防ぐことができる。このため、比較的硬度が低い材料であるアルミニウム（ＪＩＳ１０７０）を用いているにもかかわらず、ネジ部５の座屈変形が起こりにくくなる。
以上の工程を経て図１および図２に示す容器１を得る。
【００１７】
本実施形態の液状物充填用容器１にあっては、首部４の開口端部４ａが外方に湾曲して形成されたカール部６を有するので、端縁部６ａにおいて保護塗膜１０の形成が不十分となり金属材料が露出した場合でも、この端縁部６ａが容器１内の内容液に接するのを防ぐことができる。
従って、内容液によりこの部分が腐食するのを未然に防ぎ、容器１の耐蝕性を高めることができる。
また内容液が、容器１の材料である金属との接触により変質が生じ得るものである場合でも、この内容液の変質を防ぎ、内容液の香りなどが変化するのを防止することができる。
【００１８】
また容器１は単一の材料（アルミニウム（ＪＩＳ１０７０）のみ）からなるものであるので、使用後は、分解することなくそのまま金属材料として再利用が可能である。従って、リサイクルが容易である。
また金属製であるため、高級感およびメタリック感を持たせやすい。また衝撃が加わっても破損しにくい。
【００１９】
また、カール部６を、その外径が、ネジ部５の外径より小さくなるよう形成することによって、ポンプアッセンブリ７を首部４に装着する際に、ポンプアッセンブリ７がカール部６にぶつかることにより装着が妨害されることがなく、装着の際の操作性を向上させることができる。従って、取扱いが容易となる。
【００２０】
また保護塗膜１０に、加工性、耐久性に優れたポリアミドイミド系樹脂を用いることによって、保護塗膜１０のひび割れや剥離を防ぎ、内容液による容器１の腐蝕を防ぐことができる。
【００２１】
また、上記実施形態の製造方法によれば、首部４にネジ部５を形成した後に、首部４の開口端部４ａを外方に湾曲させカール部６を形成するので、ネジ部５の形成に伴ってカール部６が変形するのを防ぐことができる。
このため、カール部６の変形によりカール部６とポンプアッセンブリ７との間に隙間が生じることにより容器１のシール性が低下するのを未然に防ぐことができる。
これに対し、カール部を形成した後で首部にネジ部を形成する場合には、ネジ部を形成するにあたり、ネジ押圧部材により首部を押圧し曲げ変形させるに伴って、ネジ部上方の部分の首部に下方への引張力が加わるため、平滑な天面を有するカール部を形成することが難しく、カール部に局部的な凹みが形成される場合がある。このため、この容器に装着されるキャップ（ポンプアッセンブリなど）と、カール部との間に隙間が生じ、容器のシール性が低下することがある。
【００２２】
また、上記方法によれば、環状基体２４を周方向に回転させるとともに、カール部形成ローラ２５を回転させながら首部４に押し当てることによって首部４を湾曲させるため、カール部形成用治具２３の首部周方向回転をスムーズに行わせ、首部４に加えられる力を周方向に均一にすることができる。このため、カール部６の変形を防ぎ、その形状を周方向に均一化し、平滑な天面を有するカール部６を形成することができる。
よって、ポンプアッセンブリ７を首部４に装着したときに、カール部６天面とポンプアッセンブリ７との間に隙間が生じるのを防ぐことができる。
従って、密封性に優れた容器１を製造することができる。
また、首部４に加えられる縦方向（首部４の軸方向）の力を周方向に均一化し、局部的に首部４に大きな力が加えられるのを防ぐことができることから、比較的硬度が低い材料であるアルミニウム（ＪＩＳ１０７０）を用いているにもかかわらず、ネジ部５の座屈変形を起こりにくくすることができる。
【００２３】
これに対し、カール部形成用治具を、首部に対し回転させずに開口端部に押し当てる場合には、首部のネジ部が座屈変形しやすくなる。
例えば、図５に示すように、略円筒状の筒状体６１の下面に断面半円形のカール部形成溝６２を形成したカール部形成用治具６３を用い、この治具６３を、首部４の開口端部４ａに対し、回転させずに縦方向（首部軸方向）に押し当てる場合には、首部４に加えられる押付力が周方向に不均一となりやすく、局部的に大きな力が首部４に加えられ、この部分においてネジ部５に座屈変形が生じるおそれがある。
特に、硬度が低いアルミニウム（ＪＩＳ１０７０）を用い、ネジ部５形成後にカール部６を形成する場合には、上記治具６３を回転させずに首部４に押し付けると、ネジ部５に変形が起こりやすい。
【００２５】
【実施例】
（実施例１）
図１および図２に示す液状物充填用容器１を以下のようにして作製した。
図３に示すように、アルミニウム（ＪＩＳ１０７０）インゴット材をインパクト成形することにより、外径５０ｍｍの有底筒状体２１を作製し、この有底筒状体２１の内面を洗浄、乾燥した後、この内面にポリアミドイミド樹脂を塗装、焼き付けし、保護塗膜１０を形成した。このポリアミドイミド樹脂としては、サンエヌ工業（株）製、ポリアミドイミド系内面ワニスＭ−２を用いた。
数段階のプレス加工により有底筒状体２１の上部を縮径し、肩部３および首部４を形成した後、首部４の内周側および外周側に配置されたネジ押圧部材（図示略）により首部４を押圧成形することによって、首部４にネジ部５（山部の外径：２３．１ｍｍ）を形成した。
次いで、図４に示すカール部形成用治具２３を用い、環状基体２４を首部４に対し周方向に回転させ、ローラ２５を回転させながら首部４に押し当てることによって開口端部４ａを環状凹部２８ａに沿って湾曲させてカール部６（外径２１．４ｍｍ）を形成し、図１および図２に示す容器１（胴部２の外径：５０ｍｍ）を得た。
【００２６】
（実施例２）
有底筒状体２１の外径を３５ｍｍとし、ネジ部５の外径（山部の外径）を２３．０ｍｍとし、カール部６の外径を２１．５ｍｍとすること以外は実施例１と同様にして容器１（胴部２の外径：３５ｍｍ）を作製した。
【００２７】
上記実施例１および実施例２の容器を、以下に示す電導度試験およびリーク試験に供した。
【００２８】
（電導度試験）
５％食塩水を満たした容器１を正極とし、この正極と、容器１内に収容した負極との間に６ＶのＤＣ電圧をかけ、通電開始から５秒後において両極間に流れる電流値を測定した。
一般に、この電流値が５０ｍＡ以下であれば、保護塗膜に形成されたピンホールに起因する腐蝕が起こりにくい状態にあり、耐蝕性は良好であるとされる。
【００２９】
（リーク試験）
着色した水を容器１内に満たし、首部４にポンプアッセンブリ７を装着した後、容器１を倒立状態として４８時間放置した後に、容器口部からの液漏れの有無を目視で確認した。
【００３０】
上記実施例１、２の容器１では、電導度試験の結果、両極間に流れた電流は２０ｍＡ以下であり、十分実用可能なレベルの耐蝕性を有することが確認された。
またリーク試験の結果、液漏れは全く生じなかったことが確認された。
これらの試験結果より、実施例１、２の容器１は、耐蝕性およびシール性の点で優れていることがわかった。
【００３１】
【発明の効果】
以上説明したように、本発明の製造方法によって得られた液状物充填用容器にあっては、首部の開口端部が外方に湾曲して形成されたカール部を有するので、カール部の端縁部において保護膜形成が不十分である場合でも、この端縁部が容器内の内容液に接するのを防ぐことができる。従って、内容液によりこの部分が腐食するのを未然に防ぎ、容器の耐蝕性を高めることができる。また内容液が、容器の材料との接触により変質が生じ得るものである場合でも、この内容液の変質を防ぎ、内容液の香りなどが変化するのを防止することができる。また単一の材料から形成されているため、再利用にあたり分解する必要がなく、リサイクルが容易である。また、カール部を、その外径が、ネジ部の外径より小さくなるよう形成することによって、保護キャップなどを首部に装着する際に、これがカール部にぶつかるのを防ぎ、装着の際の操作性を向上させることができる。従って、取扱いが容易となる。
【００３２】
また、本発明の液状物充填用容器の製造方法によれば、首部にネジ部を形成した後に、首部の開口端部を外方に湾曲させカール部を形成するので、ネジ部形成に伴うカール部の変形を防ぐことができる。
このため、カール部の変形により容器のシール性が低下するのを防ぐことができる。
また、環状基体とカール部形成ローラとを有し、ローラの外周に環状凹部が形成されたカール部形成用治具を用い、カール部形成ローラを首部の開口端部に押し当て、首部を環状凹部内周面に沿って外方に湾曲させてカール部を形成し、この際、環状基体を首部に対し周方向に回転させるとともに、カール部形成ローラを回転させながら首部に押し当てる方法を採用することによって、首部に加えられる力を周方向に均一化し、局部的に首部に大きな力が加えられるのを防ぐことができる。
このため、比較的硬度が低い材料であるアルミニウム（ＪＩＳ１０７０）を用いているにもかかわらず、カール部の変形を防ぎ、平滑な天面を有するカール部を形成し、密封性に優れた液状物充填用容器を製造することができる。またネジ部の座屈変形を起こりにくくすることができる。
【図面の簡単な説明】
【図１】   本発明の液状物充填用容器の一実施形態を示す一部断面図である。
【図２】   図１に示す液状物充填用容器の要部を拡大した断面図である。
【図３】   本発明の液状物充填用容器の製造方法の一実施形態を示す工程図である。
【図４】   本発明の液状物充填用容器の製造方法の他の実施形態を実施するために用いられるカール部形成用治具を示す図であり、（Ａ）は平面図、（Ｂ）は側面図である。
【図５】   カール部形成用治具の一例を示す断面図である。
【図６】   従来の液状物充填用容器の一例を示す断面図である。
【図７】   従来の液状物充填用容器の他の例を示す断面図である。
【図８】   従来の液状物充填用容器のさらに他の例を示す断面図である。
【符号の説明】
１・・・液状物充填用容器、２・・・胴部、３・・・肩部、４・・・首部、４ａ・・・開口端部、５・・・ネジ部、６・・・カール部、１０・・・保護塗膜、２１・・・筒状体、２３・・・カール部形成用治具、２８ａ・・・環状凹部、２４・・・環状基体、２５・・・カール部形成ローラ
【図１】
0004647799.tif 000002
【図２】
0004647799.tif 000003
【図３】
0004647799.tif 000004
【図４】
0004647799.tif 000005
【図５】
0004647799.tif 000006
【図６】
0004647799.tif 000007
【図７】
0004647799.tif 000008
【図８】
0004647799.tif 000009